(57)【特許請求の範囲】
【請求項１】
少なくとも一部が硬い熱可塑性樹脂からなる、予め作製された履物（１）のアイテムを、ユーザの足（７）および脚（７’）の少なくとも一方に適合させる装置であって、
本質的に前記履物（１）のアイテムを包み込み、該履物（１）のアイテムを収容するように構成された収容空間（１３）を有する圧力負荷要素（８）を備え、
前記収容空間（１３）は、前記圧力負荷要素（８）の内側層（８”）を形成する変形可能な材料によって、少なくとも部分的に画定され、
前記圧力負荷要素（８）は、キャビティー（８'''）と、圧力負荷流体を導入するための入口開口（９）と、を有し、
前記圧力負荷要素（８）は、外側層（８’）を有し、
前記外側層（８’）は、前記内側層（８”）に強固に接着されて、前記キャビティー（８'''）を形成する、装置において、
前記圧力負荷要素（８）の少なくとも１つの領域は、前記圧力負荷流体が入り込まないように、形成されており、
前記内側層（８”）および外側層（８’）が前記領域において互いに接着されているか、
前記領域において前記圧力負荷要素（８）の切欠き部が設けられているか、
前記圧力負荷要素（８）は、前記領域において、単一の層として形成されていることを特徴とする、装置。
【請求項２】
前記圧力負荷流体が入り込まない領域は、ソール領域（１４）に配置され、
前記ソール領域（１４）は、前記履物（１）のアイテムのソール（５）の領域における当接のために設けられることを特徴とする、請求項１に記載の装置。
【請求項３】
出口バルブ（１０’）を有する出口開口（１０）を備え、
前記出口バルブ（１０’）は、好ましくは制御可能な圧力制御バルブの形態であることを特徴とする、請求項１又は２に記載の装置。
【請求項４】
前記内側層（８”）は、コーティングされた繊維織物からなることを特徴とする、請求項１〜３のいずれか１項に記載の装置。
【請求項５】
前記外側層（８’）は、樹脂シート、特に、熱可塑性ポリウレタン、ポリ塩化ビニル等からなることを特徴とする、請求項１〜４のいずれか１項に記載の装置。
【請求項６】
前記収容空間（１３）に接続された入口開口（１２’）の周縁部は、少なくとも１つの閉鎖要素（１２）を開くことによって、拡張可能であることを特徴とする、請求項１〜５のいずれか１項に記載の装置。
【請求項７】
前記圧力負荷要素（８）の連結領域は、前記閉鎖要素（１２）によって閉鎖可能であり、前記入口開口（１２’）から前記ソール領域（１４）付近まで本質的に延在することを特徴とする、請求項６に記載の装置。
【請求項８】
熱可塑性樹脂材料からなり、ユーザの足（７）および脚（７’）の少なくとも一方に適合された、スポーツに用いられる履物（１）のアイテムを製造する方法であって、
予め作製された履物（１）のアイテムの少なくとも一部を加熱し、該加熱された領域を、外部から圧力を加えて変形させることによって、前記履物（１）のアイテムの少なくとも一部を構成し、次いで、前記履物のアイテムを冷却し、
本質的に前記履物（１）のアイテムを包み込み、キャビティー（８'''）を画定する変形可能な材料から少なくとも部分的に構成された、スリーブ状の圧力負荷要素（８）内に、前記加熱された履物（１）のアイテムを挿入し、
前記圧力負荷要素（８）は、前記キャビティー（８'''）を形成するように外側層（８’）に強固に接着された内側層（８”）を有し、
前記履物（１）のアイテムの少なくとも一部を、ユーザの足（７）および脚（７’）のいずれか一方に適合するように、圧力負荷流体を前記キャビティー（８'''）内に導入する、方法において、
前記圧力負荷要素（８）の少なくとも１つの領域を、前記圧力負荷流体を前記キャビティー（８'''）内に導入した場合に前記圧力負荷流体が該領域に入り込まないように、形成し、
前記内側層（８”）および外側層（８’）が前記領域において互いに接着されているか、
前記領域において前記圧力負荷要素（８）の切欠き部が設けられているか、
前記圧力負荷要素（８）は、前記領域において、単一の層として形成されていることを特徴とする、方法。
【請求項９】
ユーザの足（７）が前記履物（１）のアイテム内に挿入される前に、前記履物（１）のアイテムの少なくとも一部を、特にオーブンにおいて、前記履物（１）のアイテムの材料の軟化温度よりも高い温度で加熱することを特徴とする、請求項８に記載の方法。
【請求項１０】
前記圧力負荷流体を、同時に排出される前記圧力負荷流体の出口圧力よりも高い入口圧力で、前記圧力負荷要素（８）内に導入することを特徴とする、請求項８または９に記載の方法。
【請求項１１】
前記履物（１）のアイテムの少なくとも一部を覆う、冷却されたカラー（１６）を、前記履物（１）のアイテムが前記圧力負荷要素（８）内に挿入される前に、前記履物（１）のアイテム上に被せることを特徴とする、請求項８〜１０のいずれか１項に記載の方法。
【請求項１２】
ユーザが前記履物（１）のアイテムを装着した直後に、前記カラー（１６）を、前記履物（１）のアイテム上に被せることを特徴とする、請求項１１に記載の方法。
【発明の詳細な説明】
【技術分野】
【０００１】
本発明は、予め作製された履物のアイテムを、ユーザの足および／または脚に適合させるための装置に関し、該履物のアイテムは、少なくとも部分的に、硬い熱可塑性樹脂材料からなる。また、本発明は、ユーザの足および／または脚に適合された、スポーツに用いられる履物のアイテムを製造する方法に関し、該履物のアイテムは、硬い熱可塑性樹脂材料からなる。この方法においては、予め作製された履物のアイテムの少なくとも一部は、加熱され、該加熱された領域を、外部から圧力を加えることにより変形させることによって、適合される。そして、その後に、上記履物のアイテムは、冷却される。
【背景技術】
【０００２】
予め作製された履物のアイテムを、ユーザの足に適合させるための様々な方法が、本技術分野において知られている。国際公開ＷＯ２００９／０４６４７７Ａ２号公報は、以下の方法を教示している。すなわち、最初に、履物のアイテムを加熱し、次いで、ユーザが該履物のアイテムを装着した後に、該履物のアイテムを覆うようにシートを設置し、負圧を掛けることによって、予め加熱されたシェルを足に適合させる。基本的には、この方法は問題なく機能する。しかしながら、不利なことに、ユーザが負圧を掛けることに対して不快を感じることが、明らかとなってきた。
【０００３】
米国特許第３，６１３，２７１号公報は、ユーザの足に履物のアイテムを適合させるために、手動の圧力を足首領域に加えることによって、予め作製された履物のアイテムを適合させる方法を開示している。手動の適合用圧力に対する代替として、圧力スリーブが、足首領域に設けられる。しかしながら、この圧力スリーブに関しては、詳細に説明されていない。このような方法は、適合を行うオペレータが、本技術分野の高い技能と知識を有することを要する。
【発明の概要】
【発明が解決しようとする課題】
【０００４】
したがって、本発明は、技能を持たない者でも、予め作製された履物のアイテムを、ユーザの足および／または脚に、簡単且つ確実に適合させることを可能とする装置および方法を提供することを目的とする。
【課題を解決するための手段】
【０００５】
上述した本発明に係る装置において、この目的は、本質的に履物のアイテムを包み込み、該履物のアイテムを収容するように構成された収容空間を有する圧力負荷要素を提供することによって、達成される。ここで、収容空間は、圧力負荷要素の内側層を形成する変形可能な材料によって、少なくとも部分的に画定される。また、圧力負荷要素は、キャビティーと、圧力負荷流体を導入するための入口開口とを有する。
【０００６】
本発明に係る装置を用いることによって、履物のアイテムを装着し、適合装置の収容空間内に挿入するだけでよい。次いで、圧力負荷流体（好ましくは、空気）が、キャビティー内に導入される。ここで、キャビティーは、内側（すなわち、履物のアイテムに面する側）に配置された変形可能な材料から構成される。そして、圧力が、履物のアイテムに、外部から加えられる。これにより、予め作製された履物のアイテムよりも足が小さくなっている領域を、圧力負荷要素を用いて加えられた圧力によって、足に適合させる。装置へ挿入する前に、履物のアイテムが軟化温度よりも高い温度で加熱された場合、ユーザの足よりも小さな体積を有する、履物のアイテムの領域は、足が履物のアイテム内に挿入されると、足自体が押圧ラムのように作用することにより、即時に押し広げられる。材料が軟化温度よりも低い温度に冷却されるまで、圧力負荷要素が圧力を維持すると、履物のアイテムは、加圧が停止された後においても、装置によって生成された形状を維持する。このように、加熱された樹脂材料を手動で適合させる必要がない。装置のオペレータは、履物のアイテムを装置の収容空間内に配置し、圧力負荷流体を導入するだけでよい。このことは、以下のことを意味している。すなわち、履物のアイテムをユーザの足に適合させる工程が、簡単となり、技能を持たない者によって行うこともできる。
【０００７】
圧力負荷流体がキャビティー内に導入される圧力を確実に制限するために、入口開口は、入口バルブを含み、該入口バルブは、好ましくは制御可能な圧力制御バルブの形態である。
【０００８】
出口バルブを有する出口開口を備え、該出口バルブが、好ましくは制御可能な圧力制御バルブの形態である場合、圧力負荷流体は、導入され、且つ、（出口開口を介して）同時に排出され得る。その結果、圧力負荷要素は、恒久的な気体の流れをもたらすことになる。このことは、以下のことを意味している。すなわち、圧力が加えられている間に、冷たい流体が、常に供給されることになる。これにより、予め加熱された履物のアイテムの冷却工程を加速させることができる。入口開口と出口開口との間の高圧力を保証するために、入口圧力が約８０ｋＰａ（０．８ｂａｒ）に設定される一方、出口圧力は、例えば約６０ｋＰａ（０．６ｂａｒ）に制限される。
【０００９】
圧力負荷流体を受容する目的で設けられるキャビティーを形成するために、有利には、圧力負荷要素は、外側層を有し、該外側層は、内側層に強固に接着されて、キャビティーを形成する。実際上、バッグ状の圧力負荷要素を製造することは、費用効率がよく、且つ容易であることが明らかとなった。ここで、この圧力負荷要素は、互いに接着された少なくとも２つの層（すなわち、内側層と外側層）から構成され、履物のアイテムを（足を入れるための開口を除いて）本質的に包み込むものである。当然ながら、圧力負荷要素は、適切に成形された変形可能な材料からなる１つの部材（すなわち、端部が互いに連結された単一部材）から作製されてもよい。しかしながら、有利には、２つの層が設けられ、各層は、各々の目的を果たすように機能する。すなわち、内側層は、コーティングされた繊維織物から適正に構成される。何故ならば、この構成は、圧力負荷流体に対して不透過性を有する、変形可能な材料を、容易且つ安価に提供するからである。したがって、これは、圧力が加えられる、履物のアイテムの外側部に対して適用するのに適している。外側層は、履物のアイテムに圧力を加えるために用いられるものではないので、外側層を樹脂シート（特に、熱可塑性ポリウレタン、ポリ塩化ビニル等）から構成すれば十分である。
【００１０】
圧力負荷要素によって包まれている履物のアイテムの表面全体が、圧力負荷流体を導入したときに加圧されるのを避けるために、内側層および外側層が互いに接着されている領域を設けることは、有益である。圧力負荷流体は、内側層および外側層が互いに接着されている領域には流入することができない。したがって、圧力は、履物のアイテムのこれら領域には負荷されない。当然ながら、圧力負荷流体が流入しない領域は、他の方法で（例えば、圧力負荷要素を切断すること、または、これら領域に単一の層を設けることによって）設けられてもよい。
【００１１】
内側層および外側層は、履物のアイテムのソールの領域において互いに当接するように、ソール領域において互いに接着されることは、特に適切である。何故ならば、ソール領域を加圧することによって、不利には、予め作製されたソール形状に、望ましくない変形が結果的に生じてしまうからである。これにより、履物のアイテムをスキーブーツとして形成したときに、スキーのビンディングへの受容の安定性を損なってしまうことになる。
【００１２】
装置内に履物のアイテムを容易に収容するために、収容空間に接続された入口開口の周縁部は、少なくとも１つの閉鎖要素を開くことによって、拡張可能である。
【００１３】
この構成において、有利には、圧力負荷要素の連結領域は、閉鎖要素によって閉鎖可能であり、入口開口からソール領域付近まで本質的に延在する。このような連結領域は、好ましくは、ユーザの脹脛から踵の領域まで延び、履物のアイテムを、該履物のアイテムを包む圧力負荷要素内に、閉鎖状態とするように特に容易に導入することを可能とする。このように、容易な挿入および容易な取り出しの双方が実現され、履物のアイテムの表面が、より広範に加圧される。
【００１４】
外側（すなわち、履物のアイテムと逆の側）における圧力負荷要素の拡張を制限し、実使用の間に鋭い物によって装置が損傷してしまうのを避けるために、圧力負荷要素は、有利には、本質的に圧力耐性を有するスリーブによって包まれる。この外側の圧力耐性を有するスリーブは、例えば、安定した繊維物から構成されてもよい。
【００１５】
上述したような方法は、本質的に、履物のアイテムを包み込み、キャビティーを画定する変形可能な材料から少なくとも部分的に構成された、スリーブ状の圧力負荷要素内に、加熱された履物のアイテムを挿入し、履物のアイテムの少なくとも一部を、ユーザの足および／または脚に適合させるように、圧力負荷流体をキャビティー内に導入することを特徴とする。
【００１６】
本発明に係る装置に関して既に説明したように、硬い熱可塑性樹脂材料からなる履物のアイテムを、ユーザの足に所望通りに適合させることは、以下のことによって、容易に達成される。すなわち、履物のアイテムの表面上の接触圧力を、圧力負荷流体を導入することによって、少なくとも履物のアイテムに面する側に負荷し得るように、履物のアイテムを本質的に環囲する（または、包み込む）圧力負荷要素を設ける。
【００１７】
足によって内部から加えられる圧力と、圧力負荷要素によって外部から加えられる圧力とを用いて、予め作製された履物のアイテムを、確実且つ恒久的に適合させるのを実現するために、有利には、ユーザの足が履物のアイテム内に挿入される前に、履物のアイテムの少なくとも一部を、特にオーブンにおいて、履物のアイテムの材料の軟化温度よりも高い温度で加熱する。
【００１８】
圧力負荷流体を、同時に排出される圧力負荷流体の出口圧力よりも高い入口圧力で、圧力負荷要素内に導入すると、本発明に係る装置に関して上記に説明したように、圧力が加えられている間に、圧力負荷流体の恒久的な流れをもたらすことができる。これにより、冷たい流体が流れ続けることになる。このため、有利には、予め加熱された履物のアイテムの冷却工程を加速させることができる。
【００１９】
さらに、予め加熱された履物のアイテムを効率的に冷却し、これにより、ユーザの足に迅速に適合させるために、好ましくは、履物のアイテムの少なくとも一部を覆う、冷却されたカラーを、履物のアイテムが圧力負荷要素内に挿入される前に、履物のアイテム上に被せる。冷却されたカラーは、冷却ジェルを含んでもよく、該冷却ジェルは、有利には変形可能なシートによって形成されたキャビティー内に満たされる。任意的に、上記シートは、変形可能な繊維物から作製されたカバーを、追加的に有してもよい。このようなカラー（または、ゲートル）は、使用の前に、冷却装置（すなわち、冷蔵庫等）にて冷却される。これにより、履物のアイテムの冷却工程を大幅に加速させることができる。
【００２０】
工程の効率性の観点から、有利には、ユーザが履物のアイテムを装着した直後に、カラーを、履物のアイテム上に被せる。このように、冷却されたカラーが履物のアイテムに適用された後、圧力負荷要素によって、高圧力が加えられる。その結果、圧力負荷要素の内側層がカラーの外面に近接して適合する。その結果、静水圧の原理に従って、ゲートル内に導入された、冷却されたカラー（または、冷却ジェル）は、圧力負荷要素からの圧力を、履物のアイテムの表面に伝達する。また、カラーと、加熱された履物のアイテムの表面との間の接触によって、良好な熱伝導がもたらされる。その結果として、履物のアイテムが迅速に冷却され、その形状がユーザの足に適合する。
【００２１】
工程の費用効率を向上させ、且つ、工程を簡単とするために、有利には、気体を、圧力負荷流体として、圧力負荷要素内に導入する。
【図面の簡単な説明】
【００２２】
【図１】硬い熱可塑性樹脂材料からなる履物のアイテムの図である。
【図２】図１の履物のアイテム内に受容された、繊維物からなるインナーシューまたはインナーブーツの図である。
【図３】履物のアイテムの断面図であって、該履物のアイテム内に、ユーザの足および／または脚が挿入された状態を示す。
【図４】履物のアイテムの加熱工程の概略図である。
【図５】本発明に係る装置内に挿入された履物のアイテムの図である。
【図６】図５の構成に係る図であって、踵および脹脛の側の履物のアイテムの図である。
【図７】圧力負荷要素の斜視図である。
【図８】図７の線ＶＩＩＩ−ＶＩＩＩによる断面図である。
【図９】入口開口からソール領域まで延在する閉鎖装置を示す、装置の他の図である。
【図１０】図９に対応する図であって、ユーザの足が履物のアイテムに挿入されるように、閉鎖装置を開いた状態を示す。
【図１１】スリーブが圧力負荷要素を包んだ状態を示す、装置の斜視図である。
【図１２】適合されるべき履物のアイテムの斜視図である。
【図１３】図１２に係る斜視図であって、冷却カラーが履物のアイテム上に被せられた状態を示す。
【図１４】図１０に類似する図であって、冷却カラーが適合されるべき履物のアイテム上に被せられた状態を示す。
【発明を実施するための形態】
【００２３】
以下、本発明について、図面に示された好ましい実施形態を参照して、より詳細に説明する。しかしながら、本発明は、これに限定されるものではない。
【００２４】
図１は、足首領域の直上付近まで足を覆う下側シェル２と、連結要素（例えば、関節ジョイント３’）を介して該下側シェル２に枢着されたカラー３とを備えるスキーブーツ１を示す。また、スキーブーツ１は、通常の閉鎖手段４（すなわち、バックル）と、ソール５とを備える。ソール５は、通常、上記シェル２に一体的に形成されている。また、ソール５は、スキーのビンディング内に受容されるように、下側シェル２から突出して延びる前側連結領域５’と、踵側の端部において下側シェル２から突出して延びる後側連結領域５”とを有する。
【００２５】
図２は、舌部６’を有するインナーシューまたはインナーブーツ６を示す。舌部６’は、容易な装着のために前方に折り畳まれ得る。この前方の折り畳み位置は、図２において破線によって示されている。
【００２６】
図３の断面図は、インナーブーツ６がブーツ１内に挿入され、次いで、ユーザの足７およびユーザの脚７’の下側領域がブーツ１内に挿入された状態を示す。下側シェル２およびカラー３は、通常、熱可塑性樹脂から作製される。図３に示された、予め作製された形状は、射出成形によって準備される。一方、インナーブーツ６は、通常、繊維材料または皮革から作製され、ユーザの快適性を向上させるとともに、硬いブーツ１（すなわち、外側のシェル）を足７および／または脚７’に対してある程度適合させるために、クッションを有する。
【００２７】
図４に概略的に示されているように、インナーブーツ６を有する（または、有さない）ブーツ１は、ブーツを構成する熱可塑性樹脂を加熱するために、例えばオーブン等において、いわゆる材料の軟化温度よりも高い温度で、高温に曝される。用いられている材料に依存して、ブーツ１は、通常、７０℃〜１４０℃の間の温度まで加熱される。
【００２８】
次いで、ユーザは、好ましくは、インナーブーツ６を用いつつ、足７および／または脚７’をブーツ１内に挿入し、バックル４を用いてブーツ１を閉鎖する。次いで、ユーザは、加熱されたブーツ１を、図５に示す圧力負荷要素８内に設置する。この圧力負荷要素は、本質的に、バッグまたは包装部材として形成され、入口開口１２’を除いて、ブーツ１全体を包み込む。
【００２９】
圧力負荷要素８は、バルブ９’を収容する開口９を備える。図６に概略的に示されているように、加圧された気体は、矢印Ｐの方向に、圧力負荷要素８内に設けられたキャビティー８'''内に、バルブ９’を介して導入される。これにより、圧力負荷要素８の内側層８”と外側層８’（開口９を有する）との間において、高圧力が形成される。この高圧力によって、ブーツ１（すなわち、下側シェル２とカラー３の双方）は、ユーザの足７および／または脚７’に対して押し付けられることになる。ユーザの足７および／または脚７’がより大きくなっている領域は、外側に向けて既に押圧されている。何故ならば、足７および／または脚７’は、加熱されたブーツ１に入れられたときに、押圧ラムのように作用するからである。そして、ユーザの足７および／または脚７’が、予め作製されたブーツよりも小さくなっている領域は、導入された加圧気体により発生された高圧力によって、内側層８”が当接することにより圧縮され、これにより、足７および／または脚７’の形状に適合されることになる。足７および／または脚７’に適合された、予め作製されたブーツ１の形状を維持するために、ブーツは、この適合された形状で、ブーツ１の熱可塑性樹脂材料の軟化温度より低い温度（好ましくは、軟化温度よりも１０℃低い温度）に、冷却される。
【００３０】
冷却工程を加速するとともに、キャビティー８'''内の高圧力を所定のレベルに制御可能とするために、圧力負荷要素８は、入口開口９に加えて、出口バルブ１０’を含む出口開口１０を有してもよい。有利には、バルブ９’および１０’の双方は、例えば、以下のように制御可能である。すなわち、入口バルブ９’が約８０ｋＰａ（０．８ｂａｒ）の高圧力に設定され、且つ、出口バルブ１０’が約６０ｋＰａ（０．６ｂａｒ）に設定される。結果として、圧力負荷要素８において、恒久的な気体の流れがもたらされる。これにより、圧力を加えつつ、冷えた気体を絶えず供給することができる。このため、予め加熱されたブーツ１の冷却工程を加速させることができる。
【００３１】
図７の斜視図に示すように、圧力負荷要素８は、圧力を加えるために圧力媒体（すなわち、好ましくは気体）が内部に導入される２つの層から、必ずしも構成される必要はない。例えば、領域１１が、足の前部上側の領域において、足の甲の屈曲部に至るまで、設けられている。この領域１１においては、内側層８”および外側層８’が、互いに接着されている。その結果として、有利には、圧力が、この領域１１においてブーツ１に加えられることがない。このため、高さのある足の甲を有するユーザであっても、この領域において、圧力による如何なる痛みも受けないことを保証することができる。
【００３２】
図８の断面図は、内側層と外側層との間に形成されたキャビティー８'''を、特に示している。キャビティー８'''において、加圧された気体は、バルブ９’を介して導入され、必要がある場合は、出口バルブ１０’を介して排出される。また、図８の断面図は、ジッパーの形態としての閉鎖要素１２を示している。
【００３３】
変形例としての実施形態（図示せず）によれば、圧力負荷要素８のキャビティー８'''の一部（例えば、その体積の２／３まで、または、入口バルブ９’および／または出口バルブ１０’の下部まで）は、好ましくは冷水で満たされる。加圧された気体を導入することによって、圧力負荷要素８は、家庭用水供給装置の圧力容器のように形成され得る。この場合、水の上の気体クッションは、水に対して圧力を加え、これにより、ブーツ表面に対して内側層８”を押圧することになる。冷水を用いることによって、加熱されたブーツ１を迅速に冷却することができる。
【００３４】
図９および図１０に特に示されているように、入口開口１２’の周縁部は、ブーツ１を収容するために設けられた圧力負荷要素８の収容空間１３に接続されており、閉鎖要素１２を設けることによって拡張され得る。この構成は、図１０に特に示されているように、ブーツ１を圧力負荷要素８の収容空間１３内に挿入することを、大幅に容易とすることができる。図１０に示すように、閉鎖要素１２（すなわち、ジッパー、ボタンの列、スナップファスナの列、ベルクロ（Ｖｅｌｃｒｏ）、レース付ファスナ等）は、有利には、入口開口１２’から、圧力負荷要素８の下側領域１４まで延在する。なお、この下側領域１４において、通常、ブーツ１のソール５が、装置の動作位置に配置されている。圧力負荷要素８のソール領域１４において、領域１１と同様に、外側層８’および内側層８”は、有利には、互いに接着される。これにより、この領域に加圧気体が流入することを避けることができ、それ故に、この領域が変形されず、むしろ、予め作製された形状に維持されることを保証する。この構成によって、ソール５の連結領域５’および５”がスキービンディング内に確実に受容されることが、保証される。
【００３５】
さらに、図１１は、圧力負荷要素８が、該圧力負荷要素８を包み込むスリーブ１５内に受容され得ることを、示している。スリーブ１５は、安定した繊維物から構成され、加圧気体が外側層８’に沿って導入された後に、圧力負荷要素８を支持する。このような外側スリーブ１５が設けられた場合、外側層８’は、薄い弾性シート（例えば、熱可塑性ポリウレタン、ポリ塩化ビニル等）によって、容易且つ安価に作製され得る。この場合、外側スリーブ１５は、外側部に安定性をもたらし、ブーツを、鋭い物等による損傷から保護することができる。外側スリーブ１５は、閉鎖手段１７を有する。この閉鎖手段は、閉鎖手段１２に対応しており、スリーブ１５内への容易な挿入を可能とするために、本質的に閉鎖領域の近傍に配置される。下側シェル２、カラー３、およびバックル４に圧力を確実且つ適切に加えることを考慮して、内側層８”は、気密コーティングされた繊維織物から構成される。
【００３６】
図１２および図１３は、他の有利な実施形態を示している。図１２は、軟化温度より高い温度で予め加熱されたブーツ１を示している。なお、このブーツ１は、図１〜図１１に示す実施形態と同様である。しかしながら、この例の場合、カラーまたはゲートル１６が、ユーザがブーツに足を入れた直後に、ブーツ１上に被されている。このゲートル１６は、冷却剤（例えば、冷却ジェル）を含み、該冷却剤は、変形可能なシートによって形成されたキャビティー内に満たされる。ゲートル１６は、繊維物から作製されたカバーを、任意で有してもよい。ゲートル１６をブーツ上に被せる前に、ゲートル１６は、冷却装置（例えば、冷蔵庫）において、低温に冷却され、次いで、冷却を大きく加速させるために、ブーツ１上に被せられる。
【００３７】
図１４に示されているように、使用者は、予め加熱されたブーツ１を履き、次いで、冷却ゲートル１６を用いつつ、圧力負荷要素８の収容空間１３内に足を入れる。その後に、圧力負荷要素８は、閉鎖手段１２によって閉じられ、上述したように、加圧された気体を導入することによって、高圧力が加えられる。その結果、圧力負荷要素８の内側層８”が、冷却ゲートル１６の外面と密に接触して適合する。そして、ゲートル１６内に収容された冷却ジェルが、基本的に、圧力負荷要素８からの静水圧を、ブーツ１の表面に伝達する。冷却ゲートル１６と、加熱されたブーツの表面との間の接触によって、結果的に、良好な熱伝導がもたらされ、ブーツ１を、ユーザの足７および／または脚７’に適合された形状で、迅速に冷却することが可能となる。
【図１】
0005882994.tif 000002
【図２】
0005882994.tif 000003
【図３】
0005882994.tif 000004
【図４】
0005882994.tif 000005
【図５】
0005882994.tif 000006
【図６】
0005882994.tif 000007
【図７】
0005882994.tif 000008
【図８】
0005882994.tif 000009
【図９】
0005882994.tif 000010
【図１０】
0005882994.tif 000011
【図１１】
0005882994.tif 000012
【図１２】
0005882994.tif 000013
【図１３】
0005882994.tif 000014
【図１４】
0005882994.tif 000015